(57)【要約】      （修正有）【課題】適度なクッション性と携帯性とを兼ね備え、清涼感を有するとともに衛生的にも優れる乳幼児用敷マットを提供する。【解決手段】和紙を中空状に撚った紙糸を撥水処理した後、編織した畳表２と、クッション材と、綿布３とを主要部として備え、畳表２と綿布３とでクッション材を挟み込んで矩形状に縫製する。和紙畳の畳表は清潔で通気性が良く清涼感を与えるとともに、撥水性が高く汚れを容易に拭き取ることができるので衛生的にも優れる。【選択図】図１
0003153633.tif 000002
【実用新案登録請求の範囲】
【請求項１】
和紙を中空状に撚った紙糸を撥水処理した後、編織した畳表と、
クッション材と、
綿布とからなり、
前記畳表と前記綿布とで前記クッション材を挟み込んで矩形状に縫製してなることを特徴とする乳幼児用敷マット。
【請求項２】
着脱手段を有し、両面又は何れか一方の面を覆うことが可能なタオルカバーを備えたことを特徴とする請求項１に記載の乳幼児用敷マット。
【考案の詳細な説明】
【技術分野】
【０００１】
本考案は、外出先で乳幼児を寝かせる際やオムツを替える際等に好適な和紙畳を基材とする乳幼児用敷マットに関する。
【背景技術】
【０００２】
この種の乳幼児用敷マットは、一般に、乳幼児の身長等に適合し得るサイズに合わせた矩形状のマットで構成されており、硬いフローリング等でも使用できるように適度なクッション性と外出先で使用できるように携帯性とを兼ね備えたものが知られている。
【０００３】
一方、従来から、敷マットには清涼感を有する茣蓙（ござ）があるが、乳幼児用に特化してクッション性や携帯性をも兼ね備えた茣蓙は知られていない。
【考案の概要】
【考案が解決しようとする課題】
【０００４】
ところで、乳幼児用敷マットは、新陳代謝の激しい乳幼児がさらっと気持ちの良い感触が得られるように吸湿性や保湿性を兼ね備えていることが望ましい。したがって、クッション性と携帯性とを兼ね備えた乳幼児用敷マットに茣蓙の清涼感を取り入れることができれば、理想的な乳幼児用敷マットを提供できることになる。
【０００５】
しかしながら、乳幼児用敷マットは、オムツ替えやミルクの吐き戻し等で汚れることが多く、衛生面に配慮したものであることが必須であるが、通常の藺草からなる畳を基材として構成した場合、撥水性が低いために汚れが染み込んだり、カビやダニの対策のために日に当てて干すと変色して劣化するという問題がある。
【０００６】
そこで、本考案が解決しようとする課題は、適度なクッション性と携帯性とを兼ね備え、清涼感を有するとともに衛生的にも優れる乳幼児用敷マットを提供することである。
【課題を解決するための手段】
【０００７】
本考案は、前記課題を解決するためになされたもので、請求項１に記載の乳幼児用敷マットは、和紙を中空状に撚った紙糸を撥水処理した後、編織した畳表と、クッション材と、綿布とからなり、前記畳表と前記綿布とで前記クッション材を挟み込んで矩形状に縫製してなることを特徴としている。
【０００８】
請求項１に記載の乳幼児用敷マットによれば、和紙畳の畳表は清潔で通気性が良く清涼感を与えるとともに、撥水性が高く汚れを容易に拭き取ることができるので衛生的にも優れる。
【０００９】
また、請求項１に記載の乳幼児用敷マットによれば、中にクッション材を用いているので適度なクッション性を有する。
【００１０】
さらに、請求項１に記載の乳幼児用敷マットによれば、軽い素材を用いて矩形状に縫製されているので、円柱状に丸めてゴムバンドで留めることができる。すなわち、請求項１に記載の乳幼児用敷マットによれば、軽くてコンパクトに収納できるため、携帯性にも優れる。
【００１１】
請求項２に記載の乳幼児用敷マットは、請求項１において、着脱手段を有し、両面又は何れか一方の面を覆うことが可能なタオルカバーを備えたことを特徴としている。
【００１２】
請求項２に記載の乳幼児用敷マットによれば、タオルカバーは、マットに着脱自在であり、取り外して洗濯できるので、清潔に使用することができる。
【考案の効果】
【００１３】
本考案によれば、適度なクッション性と携帯性とを兼ね備え、清涼感を有するとともに衛生的にも優れ、外出先で乳幼児を寝かせる際やオムツを替える際等に好適な乳幼児用敷マットを提供することができる。
【図面の簡単な説明】
【００１４】
【図１】タオルカバーを取り付けていない乳幼児用敷マットを表面側から見た斜視図である。
【図２】図１のＡ−Ａ'線部分断面図である。
【図３】乳幼児用敷マットのタオルカバーの説明に供する図である。
【図４】タオルカバーを取り付けた乳幼児用敷マットを裏面側から見た図である。
【図５】乳幼児用敷マットを収納した状態を示す図である。
【考案を実施するための形態】
【００１５】
以下、本考案を適用した具体的な実施の形態について、図面を参照しながら詳細に説明する。本考案は、例えば図１及び図２に示すような構成の乳幼児用敷マット１に適用される。
【００１６】
１．乳幼児用敷マット１の構成
この乳幼児用敷マット１は、図１及び図２に示すように、和紙を中空状に撚った紙糸を撥水処理した後、編織した畳表２と、クッション材４と、綿布３とを主要部として備えている。そして、図２に示すように、畳表２と綿布３とでクッション材４を挟み込んで矩形状に縫製されている。
【００１７】
また、乳幼児用敷マット１は、図３に示すタオルカバー１１が着脱自在になっており、図４に示すように（畳表面がタオルカバー１１によって覆われている。）、何れか一方の面を覆うことが可能になっている。
【００１８】
紙糸は、原反から紙巾２ｃｍのサイズにスリットし、スリットされた和紙を中空撚糸機によって中空状に撚ることで得られる。
【００１９】
畳表２は、和紙を中空状に撚った紙糸を撥水処理した後、編織した織物である。撥水処理は、紙糸の表面に撥水膜構造を形成する工程であり、各種の方法がある。例えば、撥水剤と樹脂の混合溶液に紙糸を浸漬し、その後、乾燥させることによって、撥水膜構造が形成される。この方法によれば、紙糸の表面に樹脂によって撥水剤が強固に固定された撥水膜構造を形成することができる。
【００２０】
この撥水処理をした紙糸を織機にて編織することで撥水性を有する畳表２が形成される。この編織方法については、周知の技術であるため、ここでは説明を省略する。
【００２１】
クッション材４には、例えば適度な弾力性を有するウレタンマットを用いている。
【００２２】
綿布３は、コットン生地であり、乳幼児の肌にやさしい素材が用いられている。
【００２３】
乳幼児用敷マット１は、図２に示すように、矩形状（例えば、６０ｃｍ×９０ｃｍ）に断裁された畳表２と綿布３とでクッション材４が挟み込まれ、畳縁５が、畳表２を止めるためと装飾を兼ねて、４つの端縁を囲うように縫製されている。
【００２４】
タオルカバー１１は、図３に示すように、長手方向の縁部を折り曲げ、端縁に設けられたスナップ１４を留めることによって、ポケット１２が形成されるようになっている。
【００２５】
また、タオルカバー１１の中央部にはゴムバンド１３が設けられており、一方の端縁がタオルカバー１１の端縁に縫製され、他方の端縁がタオルカバー１１の対辺側の端縁にスナップ１５によって留められるようになっている。
【００２６】
２．乳幼児用敷マット１の使用法
本考案の乳幼児用敷マット１は、以下のように使用する。
【００２７】
先ず、乳幼児用敷マット１は、畳表２及び綿布３のうち何れを上側にして使用してもよい。図１に示すように、乳幼児用敷マット１を開いた状態で、タオルカバー１１を取り付けず、そのまま乳幼児を寝かしてもよい。
【００２８】
次に、タオルカバー１１を取り付けて使用する場合には、全てのスナップ１４，１５を外し、タオルカバー１１を開いた状態で床等に置き、その上に乳幼児用敷マット１を載せる。そして、長手方向の縁部を折り曲げて、スナップ１４を留めてポケット１２を形成する。タオルカバー１１は、乳幼児用敷マット１の長手方向の両縁部が両ポケット１２に収まると固定されて、乳幼児が動いてもズレなくなる。
【００２９】
タオルカバー１１は、中央部のゴムバンド１３を乳幼児用敷マット１に掛けて対辺側のスナップ１５を留めることにより、よりしっかりと乳幼児用敷マット１に固定できる。タオルカバー１１を取り付けた乳幼児用敷マット１を裏返し、タオルカバー１１を上側にして使用する。
【００３０】
タオルカバー１１は、前記と逆の工程を辿ることで取り外すことができる。取り外したタオルカバー１１は汚れ具合に応じて適宜洗濯をする。
【００３１】
乳幼児用敷マット１を携帯して外出先で使用する場合、乳幼児用敷マット１は、図５に示すように、タオルカバー１１を取り付けた状態で長手方向の端から丸めていくことで円柱状にまとめることができる。全部丸めたらゴムバンド１３を外側から掛けてスナップ１５を留める。そして、円柱の中央部をゴムバンド２１で留めると、持ち運び時に意に反して解けることがない。
【００３２】
３．乳幼児用敷マット１の作用
乳幼児用敷マット１によれば、和紙畳の畳表２は清潔で通気性が良く清涼感を与えるとともに、撥水性が高く汚れを容易に拭き取ることができるので衛生的にも優れる。
【００３３】
また、乳幼児用敷マット１によれば、中にクッション材４を用いているので適度なクッション性を有する。
【００３４】
また、乳幼児用敷マット１によれば、軽い素材を用いて矩形状に縫製されているので、円柱状に丸めてゴムバンド２１で留めることができる。すなわち、乳幼児用敷マット１によれば、軽くてコンパクトに収納できるため、携帯性にも優れる。
【００３５】
さらに、乳幼児用敷マット１によれば、タオルカバー１１は、マットに着脱自在であり、取り外して洗濯できるので、清潔に使用することができる。
【００３６】
なお、本考案は前述した実施の形態のみに限定されるものではなく、本考案の要旨を逸脱しない範囲において種々の変更が可能であることは勿論である。
【符号の説明】
【００３７】
１  乳幼児用敷マット、  ２  畳表、  ３  綿布、  ４  クッション材、  ５  畳縁、  １１  タオルカバー、  １２  ポケット、  １３  ゴムバンド、  １４  スナップ、  １５  スナップ、  ２１  ゴムバンド
【図１】
0003153633.tif 000003
【図２】
0003153633.tif 000004
【図３】
0003153633.tif 000005
【図４】
0003153633.tif 000006
【図５】
0003153633.tif 000007